(57)【要約】【課題】  超音波の反射波を用いずに、動作不良を自己診断することができる超音波センサの自己診断方法を実現する。【解決手段】  超音波センサ１０によれば、超音波センサ３０の受信素子Ｒ１〜Ｒ４の少なくとも１つが超音波を送信可能に形成されており、当該受信素子Ｒ１から送信した超音波を、振動減衰部材１３を介して他の受信素子Ｒ２〜Ｒ４に伝達し、受信素子Ｒ２〜Ｒ４により受信した受信信号に基づいて、その受信素子がそれぞれ正常に作動しているか否かを判断することができる。これにより、超音波センサ３０の外部の被検出体を用意して超音波を送信し、被検出体からの反射波を用いることなく、受信素子Ｒ２〜Ｒ４の動作不良を自己診断することができるので、所望のタイミングで超音波センサ３０の動作不良を診断することができ、超音波センサ３０の信頼性を向上することができる。【選択図】  図１
2008309512.tif 000002
【特許請求の範囲】
【請求項１】
超音波を送信する送信素子から送信され、被検出体にて反射された超音波を検出する超音波検出素子と、前記被検出体にて反射された超音波を受信する受信面が、前記被検出体の存在する空間側に露出し、前記受信面で受信した超音波を、前記受信面と対向する面に取り付けられた前記超音波検出素子に伝達する音響整合部材であって、音響インピーダンスが、空気より大きく、かつ、前記超音波検出素子より小さい材料により形成された音響整合部材と、の組からなる受信素子を複数組備え、
前記複数組の受信素子が、前記各受信素子の音響整合部材間に、前記音響整合部材間の振動の伝達を減衰させる振動減衰部材を介在して、アレイ状に配置されて形成された超音波センサの自己診断方法であって、
前記受信素子の少なくとも１つは超音波を送信可能に形成されており、当該受信素子から送信した超音波を、前記振動減衰部材を介して他の前記受信素子に伝達し、前記他の受信素子により受信した受信信号に基づいて、その受信素子がそれぞれ正常に作動しているか否かを判断することを特徴とする超音波センサの自己診断方法。
【請求項２】
前記音響整合部材が、前記受信面で受信した超音波により内部で定在波が発生するように形成されていることを特徴とする請求項１に記載の超音波センサの自己診断方法。
【請求項３】
前記超音波を送信可能な受信素子より送信される超音波の周波数は、前記音響整合部材の共振周波数であることを特徴とする請求項２に記載の超音波センサの自己診断方法。
【請求項４】
超音波を送信する送信素子から送信され、被検出体にて反射された超音波を検出する超音波検出素子と、前記被検出体にて反射された超音波を受信する受信面が、前記被検出体の存在する空間側に露出し、前記受信面で受信した超音波を、前記受信面と対向する面に取り付けられた前記超音波検出素子に伝達する音響整合部材であって、音響インピーダンスが、空気より大きく、かつ、前記超音波検出素子より小さい材料により形成された音響整合部材と、の組からなる受信素子を複数組備え、
前記複数組の受信素子が、前記各受信素子の音響整合部材間に、前記音響整合部材間の振動の伝達を減衰させる振動減衰部材を介在して、アレイ状に配置されて、前記各超音波検出素子を素子封止材により覆って形成された超音波センサの自己診断方法であって、
前記受信素子の少なくとも１つは超音波を送信可能に形成されており、当該受信素子から送信した超音波を、前記素子封止材を介して他の前記受信素子に伝達し、前記他の受信素子により受信した受信信号に基づいて、その受信素子がそれぞれ正常に作動しているか否かを判断することを特徴とする超音波センサの自己診断方法。
【請求項５】
前記受信素子がそれぞれ正常に作動しているか否かの判断に加えて、前記超音波を送信可能な受信素子より送信された超音波が前記他の受信素子により受信され受信信号として検出された検出時間、または、前記受信信号の信号強度に基づいて前記超音波センサの温度を推定することを特徴とする請求項１ないし請求項４のいずれか１つに記載の超音波センサの自己診断方法。
【請求項６】
前記受信素子がそれぞれ正常に作動しているか否かの判断に加えて、前記超音波を送信可能な受信素子より送信する超音波の周波数を掃引し、前記他の受信素子が備えた前記音響整合部材の共振周波数、または、共振周波数における受信信号の信号強度に基づいて前記超音波センサの温度を推定することを特徴とする請求項１ないし請求項４のいずれか１つに記載の超音波センサの自己診断方法。
【請求項７】
超音波を送信する送信素子から送信され、被検出体にて反射された超音波を検出する超音波検出素子と、前記被検出体にて反射された超音波を受信する受信面が、前記被検出体の存在する空間側に露出し、前記受信面で受信した超音波を、前記受信面と対向する面に取り付けられた前記超音波検出素子に伝達する音響整合部材であって、音響インピーダンスが、空気より大きく、かつ、前記超音波検出素子より小さい材料により形成された音響整合部材と、の組からなる受信素子を複数組備え、
前記複数組の受信素子が、前記各受信素子の音響整合部材間に、前記音響整合部材間の振動の伝達を減衰させる振動減衰部材を介在して、アレイ状に配置されて形成された超音波センサの自己診断方法であって、
前記受信面から見て前記超音波検出素子側に配置された第２の送信素子を備え、前記第２の送信素子から送信された超音波を前記各受信素子により受信した受信信号に基づいて、その受信素子がそれぞれ正常に作動しているか否かを判断することを特徴とする超音波センサの自己診断方法。
【請求項８】
前記第２の送信素子は、前記各受信素子から等しい距離に配置されていることを特徴とする請求項７に記載の超音波センサの自己診断方法。
【請求項９】
前記受信素子がそれぞれ正常に作動しているか否かの判断に加えて、前記第２の送信素子より送信された超音波が前記各受信素子により受信され受信信号として検出された検出時間、または、前記受信信号の信号強度に基づいて前記超音波センサの温度を推定することを特徴とする請求項７または請求項８に記載の超音波センサの自己診断方法。
【請求項１０】
前記受信素子がそれぞれ正常に作動しているか否かの判断に加えて、前記第２の送信素子より送信する超音波の周波数を掃引し、前記各受信素子が備えた前記音響整合部材の共振周波数、または、共振周波数における受信信号の信号強度に基づいて前記超音波センサの温度を推定することを特徴とする請求項７または請求項８に記載の超音波センサの自己診断方法。
【請求項１１】
前記各音響整合部材は、前記各音響整合部材の中央部間の距離が、空気中を伝達する超音波の波長の１／２に等しい、または、ほぼ等しくなるように配置されていることを特徴とする請求項１ないし請求項１０のいずれか１つに記載の超音波センサの自己診断方法。
【請求項１２】
前記音響整合部材は、ポリカーボネート系樹脂またはポリエーテルイミド系樹脂により形成されていることを特徴とする請求項１ないし請求項１１のいずれか１つに記載の超音波センサの自己診断方法。
【請求項１３】
前記超音波検出素子は、チタン酸ジルコン酸鉛（ＰＺＴ）系材料により形成されていることを特徴とする請求項１ないし請求項１２のいずれか１つに記載の超音波センサの自己診断方法。
【請求項１４】
前記超音波センサは、車両のヘッドランプカバー、リアランプのカバー、ウインカのカバー、バックランプのカバー、ドアミラー、または、バンパに設けられていることを特徴とする請求項１ないし請求項１３のいずれか１つに記載の超音波センサの自己診断方法。
【発明の詳細な説明】
【技術分野】
【０００１】
この発明は、被検出体で反射された超音波を受信素子により受信することにより、被検出体の位置を検出する超音波センサの自己診断方法に関する。
【背景技術】
【０００２】
従来から、超音波を伝達する金属、樹脂材料等の伝達材料に超音波検出素子を装着した超音波センサが知られている。この超音波センサは、超音波の送信が可能な素子から超音波を送信して、被検出体に当たって反射された超音波を、超音波の受信が可能な素子によって受信することにより、周囲にある物体の位置測定または距離測定や、当該物体の２次元形状または３次元形状の測定などを行う。
このような超音波センサには、車両周辺の監視システムに用いられるものがある。車両に搭載された超音波センサは、衝撃などの外乱要因によって特性変動や破壊などの不具合が発生することがある。このような不具合が生じると、監視システムの動作不良を引き起こし、人や障害物などを十分に検知できないおそれがある。
このような超音波センサの不具合を検知するための方法として、例えば、特許文献１には、複数の受信素子を備える超音波センサにおいて、障害物からの反射波を受信するときに受信素子間の信号強度の差より動作不良を自己診断する技術が開示されている。
【特許文献１】特開２００６−２４２６５０号公報
【発明の開示】
【発明が解決しようとする課題】
【０００３】
上述の技術によれば、物体において反射する超音波の反射波を用いるため、超音波センサの検出範囲内に物体が存在しない場合には、超音波センサの動作不良の検出ができないので、検知する機会が限定されてしまう。例えば、前方に障害物がない車庫や駐車場に駐車している状態では、超音波の反射波が生じないため、超音波センサの動作不良を検知できない。
【０００４】
そこで、この発明では、超音波の反射波を用いずに、動作不良を自己診断することができる超音波センサの自己診断方法を実現することを目的とする。
【課題を解決するための手段】
【０００５】
この発明は、上記目的を達成するため、請求項１に記載の発明では、超音波を送信する送信素子から送信され、被検出体にて反射された超音波を検出する超音波検出素子と、前記被検出体にて反射された超音波を受信する受信面が、前記被検出体の存在する空間側に露出し、前記受信面で受信した超音波を、前記受信面と対向する面に取り付けられた前記超音波検出素子に伝達する音響整合部材であって、音響インピーダンスが、空気より大きく、かつ、前記超音波検出素子より小さい材料により形成された音響整合部材と、の組からなる受信素子を複数組備え、前記複数組の受信素子が、前記各受信素子の音響整合部材間に、前記音響整合部材間の振動の伝達を減衰させる振動減衰部材を介在して、アレイ状に配置されて形成された超音波センサの自己診断方法であって、前記受信素子の少なくとも１つは超音波を送信可能に形成されており、当該受信素子から送信した超音波を、前記振動減衰部材を介して他の前記受信素子に伝達し、前記他の受信素子により受信した受信信号に基づいて、その受信素子がそれぞれ正常に作動しているか否かを判断する、という技術的手段を用いる。
【０００６】
請求項１に記載の発明によれば、超音波センサの受信素子の少なくとも１つが超音波を送信可能に形成されており、当該受信素子から送信した超音波を、振動減衰部材を介して他の受信素子に伝達し、他の受信素子により受信した受信信号に基づいて、その受信素子がそれぞれ正常に作動しているか否かを判断することができる。これにより、超音波センサの外部の被検出体を用意して超音波を送信し、被検出体からの反射波を用いることなく、受信素子の動作不良を自己診断することができるので、所望のタイミングで超音波センサの動作不良を診断することができ、超音波センサの信頼性を向上することができる。
【０００７】
請求項２に記載の発明では、請求項１に記載の超音波センサの自己診断方法において、前記音響整合部材が、前記受信面で受信した超音波により内部で定在波が発生するように形成されている、という技術的手段を用いる。
【０００８】
請求項２に記載の発明によれば、音響整合部材が、受信面で受信した超音波により内部で定在波が発生するように形成されているため、音響整合部材内に入射した超音波と、音響整合部材と超音波検出素子との界面において反射された超音波とが干渉して互いに打ち消し合うことを低減することができるので、超音波検出素子に効率よく超音波を伝達することができる。本発明は、このような感度の高い超音波センサの自己診断方法に適用することができる。
【０００９】
請求項３に記載の発明では、請求項２に記載の超音波センサの自己診断方法において、前記超音波を送信可能な受信素子より送信される超音波の周波数は、前記音響整合部材の共振周波数である、という技術的手段を用いる。
【００１０】
請求項３に記載の発明によれば、超音波を送信可能な受信素子より送信される超音波の周波数は、音響整合部材の共振周波数であるため、音圧を高くすることができるので、受信素子による受信信号の強度を高くすることができ、自己診断の精度を向上することができる。
【００１１】
請求項４に記載の発明では、超音波を送信する送信素子から送信され、被検出体にて反射された超音波を検出する超音波検出素子と、前記被検出体にて反射された超音波を受信する受信面が、前記被検出体の存在する空間側に露出し、前記受信面で受信した超音波を、前記受信面と対向する面に取り付けられた前記超音波検出素子に伝達する音響整合部材であって、音響インピーダンスが、空気より大きく、かつ、前記超音波検出素子より小さい材料により形成された音響整合部材と、の組からなる受信素子を複数組備え、前記複数組の受信素子が、前記各受信素子の音響整合部材間に、前記音響整合部材間の振動の伝達を減衰させる振動減衰部材を介在して、アレイ状に配置されて、前記各超音波検出素子を素子封止材により覆って形成された超音波センサの自己診断方法であって、前記受信素子の少なくとも１つは超音波を送信可能に形成されており、当該受信素子から送信した超音波を、前記素子封止材を介して他の前記受信素子に伝達し、前記他の受信素子により受信した受信信号に基づいて、その受信素子がそれぞれ正常に作動しているか否かを判断する、という技術的手段を用いる。
【００１２】
請求項４に記載の発明によれば、超音波センサの受信素子の少なくとも１つが超音波を送信可能に形成されており、当該受信素子から送信した超音波を、素子封止材を介して他の受信素子に伝達し、他の受信素子により受信した受信信号に基づいて、その受信素子がそれぞれ正常に作動しているか否かを判断することができる。これにより、超音波センサの外部の被検出体を用意して超音波を送信し、被検出体からの反射波を用いることなく、受信素子の動作不良を自己診断することができるので、所望のタイミングで超音波センサの動作不良を診断することができ、超音波センサの信頼性を向上することができる。
【００１３】
請求項５に記載の発明では、請求項１ないし請求項４のいずれか１つに記載の超音波センサの自己診断方法において、前記受信素子がそれぞれ正常に作動しているか否かの判断に加えて、前記超音波を送信可能な受信素子より送信された超音波が前記他の受信素子により受信され受信信号として検出された検出時間、または、前記受信信号の信号強度に基づいて前記超音波センサの温度を推定する、という技術的手段を用いる。
【００１４】
音響整合部材など超音波が伝達する構成部材の物性は、温度変化により変化し、この物性の変化に伴い受信信号の検出時間、または、受信信号の信号強度が変化する。この温度依存性を用いて、請求項５に記載の発明のように、受信信号の検出時間、または、信号強度に基づいて超音波センサの温度を推定することができる。
【００１５】
請求項６に記載の発明では、請求項１ないし請求項４のいずれか１つに記載の超音波センサの自己診断方法において、前記受信素子がそれぞれ正常に作動しているか否かの判断に加えて、前記超音波を送信可能な受信素子より送信する超音波の周波数を掃引し、前記他の受信素子が備えた前記音響整合部材の共振周波数、または、共振周波数における受信信号の信号強度に基づいて前記超音波センサの温度を推定する、という技術的手段を用いる。
【００１６】
音響整合部材の物性は、温度変化により変化し、この物性の変化に伴い音響整合部材の共振周波数、または、共振周波数における受信信号の信号強度が変化する。この温度依存性を用いて、請求項６に記載の発明のように、音響整合部材の共振周波数、または、共振周波数における受信信号の信号強度に基づいて超音波センサの温度を推定することができる。
【００１７】
請求項７に記載の発明では、超音波を送信する送信素子から送信され、被検出体にて反射された超音波を検出する超音波検出素子と、前記被検出体にて反射された超音波を受信する受信面が、前記被検出体の存在する空間側に露出し、前記受信面で受信した超音波を、前記受信面と対向する面に取り付けられた前記超音波検出素子に伝達する音響整合部材であって、音響インピーダンスが、空気より大きく、かつ、前記超音波検出素子より小さい材料により形成された音響整合部材と、の組からなる受信素子を複数組備え、前記複数組の受信素子が、前記各受信素子の音響整合部材間に、前記音響整合部材間の振動の伝達を減衰させる振動減衰部材を介在して、アレイ状に配置されて形成された超音波センサの自己診断方法であって、前記受信面から見て前記超音波検出素子側に配置された第２の送信素子を備え、前記第２の送信素子から送信された超音波を前記各受信素子により受信した受信信号に基づいて、その受信素子がそれぞれ正常に作動しているか否かを判断する、という技術的手段を用いる。
【００１８】
請求項７に記載の発明によれば、受信面から見て超音波検出素子側に配置された第２の送信素子から送信された超音波を各受信素子により受信した受信信号に基づいて、その受信素子がそれぞれ正常に作動しているか否かを判断することができる。これにより、超音波センサの外部の被検出体を用意して超音波を送信し、被検出体からの反射波を用いることなく、受信素子の動作不良を自己診断することができるので、所望のタイミングで超音波センサの動作不良を診断することができ、超音波センサの信頼性を向上することができる。
また、超音波センサが自己診断用の第２の送信素子を備えているため、受信素子を送信可能に構成する必要がないとともに、受信素子を同時に自己診断することが可能となる。
【００１９】
請求項８に記載の発明では、請求項７に記載の超音波センサの自己診断方法において、前記第２の送信素子は、前記各受信素子から等しい距離に配置されている、という技術的手段を用いる。
【００２０】
請求項８に記載の発明によれば、第２の送信素子は、各受信素子から等しい距離に配置されているため、各受信素子が正常に作動している場合には、各受信素子において強度及び検出時間が等しい受信信号が検出される。これにより、各受信信号を比較することにより、動作不良が生じている受信素子を容易に検知することができる。
【００２１】
請求項９に記載の発明では、請求項７または請求項８に記載の超音波センサの自己診断方法において、前記受信素子がそれぞれ正常に作動しているか否かの判断に加えて、前記第２の送信素子より送信された超音波が前記各受信素子により受信され受信信号として検出された検出時間、または、前記受信信号の信号強度に基づいて前記超音波センサの温度を推定する、という技術的手段を用いる。
【００２２】
音響整合部材、振動減衰部材、素子封止材など超音波が伝達する構成部材の物性は、温度変化により変化し、この物性の変化に伴い受信信号の検出時間、または、受信信号の信号強度が変化する。この温度依存性を用いて、請求項９に記載の発明のように、受信信号の検出時間、または、信号強度に基づいて超音波センサの温度を推定することができる。
【００２３】
請求項１０に記載の発明では、請求項７または請求項８に記載の超音波センサの自己診断方法において、前記受信素子がそれぞれ正常に作動しているか否かの判断に加えて、前記第２の送信素子より送信する超音波の周波数を掃引し、前記各受信素子が備えた前記音響整合部材の共振周波数、または、共振周波数における受信信号の信号強度に基づいて前記超音波センサの温度を推定する、という技術的手段を用いる。
【００２４】
音響整合部材の物性は、温度変化により変化し、この物性の変化に伴い音響整合部材の共振周波数、または、共振周波数における受信信号の信号強度が変化する。この温度依存性を用いて、請求項１０に記載の発明のように、音響整合部材の共振周波数、または、共振周波数における受信信号の信号強度に基づいて超音波センサの温度を推定することができる。
【００２５】
請求項１１に記載の発明では、請求項１ないし請求項１０のいずれか１つに記載の超音波センサの自己診断方法において、前記各音響整合部材は、前記各音響整合部材の中央部間の距離が、空気中を伝達する超音波の波長の１／２に等しい、または、ほぼ等しくなるように配置されている、という技術的手段を用いる。
【００２６】
請求項１１に記載の発明によれば、各音響整合部材は、各音響整合部材の中央部間の距離が、空気中を伝達する超音波の波長の１／２に等しい、または、ほぼ等しくなるように配置されているため、受信した超音波の位相差からも時間差を検出することができるので、受信した超音波の時間差を精度良く検出することができ、被検出体との距離及び位置の測定精度を向上させることができる。本発明は、このような被検出体との距離及び位置の測定精度が良好な超音波センサの自己診断方法に適用することができる。
【００２７】
請求項１２に記載の発明では、請求項１ないし請求項１１のいずれか１つに記載の超音波センサの自己診断方法において、前記音響整合部材は、ポリカーボネート系樹脂またはポリエーテルイミド系樹脂により形成されている、という技術的手段を用いる。
【００２８】
請求項１２に記載の発明にように、本発明は、音響整合部材が弾性率の温度変化が小さいポリカーボネート系樹脂またはポリエーテルイミド系樹脂により形成されており、温度変化に伴う超音波の波長の変化が小さい超音波センサの自己診断方法に適用することができる。
【００２９】
請求項１３に記載の発明では、請求項１ないし請求項１２のいずれか１つに記載の超音波センサの自己診断方法において、前記超音波検出素子は、チタン酸ジルコン酸鉛（ＰＺＴ）系材料により形成されている、という技術的手段を用いる。
【００３０】
請求項１３に記載の発明のように、本発明は、超音波検出素子が圧電定数の大きいチタン酸ジルコン酸鉛（ＰＺＴ）からなる圧電体を用いて形成されており、受信感度が良好な超音波センサの自己診断方法に適用することができる。
【００３１】
請求項１４に記載の発明では、請求項１ないし請求項１３のいずれか１つに記載の超音波センサの自己診断方法において、前記超音波センサは、車両のヘッドランプカバー、リアランプのカバー、ウインカのカバー、バックランプのカバー、ドアミラー、または、バンパに設けられている、という技術的手段を用いる。
【００３２】
請求項１４に記載の発明のように、本発明は、車両に搭載され、車両の周囲にある障害物や人間などを検知する障害物センサなどに用いる超音波センサの自己診断方法に適用することができる。ここで、超音波センサは、用途に合わせて、各種部材に設けることができる。超音波センサを車両前方の障害物センサなどに適用する場合には、ヘッドランプカバー、または、バンパに設けることができる。超音波センサを車両側方の障害物センサとして用いる場合には、ウインカのカバー、または、ドアミラーに設けることができる。超音波センサを車両後方の障害物センサとして用いる場合には、リアランプのカバー、または、バックランプのカバーに設けることができる。
【発明を実施するための最良の形態】
【００３３】
［第１実施形態］
この発明に係る超音波センサの第１実施形態について、図を参照して説明する。ここでは、超音波センサを車両に搭載して障害物センサとして使用する場合を例に説明する。
図１は、本実施形態の超音波センサの説明図である。図１（Ａ）は、本実施形態の超音波センサを音響整合部材側から見た平面説明図であり、図１（Ｂ）は、図１（Ａ）のＡ−Ａ矢視断面図である。図２は、被検出体の位置の３次元検知を行う方法の説明図である。図２（Ａ）は、障害物で反射された超音波を受信素子で受信する状態を示す模式図であり、図２（Ｂ）は、超音波の送信信号と各受信素子により受信する受信信号との関係を示す模式図である。図３は、超音波センサの自己診断方法の原理を説明する説明図である。図３（Ａ）は、受信素子が正常に作動している場合の受信信号の説明図であり、図３（Ｂ）及び図３（Ｃ）は、正常に作動していない受信素子がある場合の受信信号の説明図である。図４は、音響整合部材及び振動減衰部材の物性の温度依存性による受信信号の変化を示す説明図である。図５は、音響整合部材の共振周波数の温度依存性による受信信号の変化を示す説明図である。
ここで、図１（Ａ）の手前側及び図１（Ｂ）の上方向が車両の外部を示す。また、図１（Ａ）の上下方向が、地面に対する鉛直上下方向に対応する。
なお、各図では、説明のために一部を拡大し、一部を省略して示している。
【００３４】
（超音波センサの構成）
図１（Ａ）及び（Ｂ）に示すように、超音波センサ１０は、超音波発生素子（図示せず）から車両前方に送信され、車両前方に存在する被検出体（障害物）で反射された超音波を検出する超音波検出素子である圧電素子１１と、超音波を受信し、振動を伝達する音響整合部材１２との組からなる４個の受信素子Ｒ１〜Ｒ４を備えている。受信素子Ｒ１〜Ｒ４のうち、少なくとも１つは送受信可能に形成されている。ここでは、受信素子Ｒ１が送受信可能な受信素子であるとする。
【００３５】
受信素子Ｒ１〜Ｒ４は、上下方向と左右方向とに各２個ずつアレイ状に並んで配置されている。
受信素子Ｒ１〜Ｒ４は、各音響整合部材１２の受信面１２ａ近傍の側面１２ｃにおいて、受信面１２ａにおいて受信した超音波の受信素子Ｒ１〜Ｒ４間での伝達を防止する振動減衰部材１３を介在して、筐体１５の開口部に接着材などにより固定されている。
【００３６】
超音波センサ１０は、車両６０の所定の位置、本実施形態ではバンパ２０（図６）に取り付けられている。バンパ２０には、筐体１５を挿通可能な大きさに貫通形成された取付部２０ａが設けられている。超音波センサ１０は、受信面１２ａをバンパ２０の外部に露出させた状態で、筐体１５の開口部近傍の側面において取付部２０ａに取り付けられている。
【００３７】
圧電素子１１は、音響整合部材１２の超音波を受信する受信面１２ａに対向する取付面１２ｂに、接着剤などにより取り付けられている。
圧電素子１１は、例えば、チタン酸ジルコン酸鉛（ＰＺＴ）からなる圧電体を上下面から電極で挟んで、厚さ３ｍｍ、２ｍｍ角の四角柱状に形成されており、各電極は、配線１４を介して、圧電素子１１から出力される電圧信号を処理する回路素子（図示せず）と電気的に接続されている。回路素子は、ＥＣＵに電気的に接続されており、圧電素子１１から出力される電圧信号に基づいて演算処理を行う。
ここで、ＰＺＴは、圧電定数が大きいため、音圧の小さな超音波の受信をすることができ、超音波の検出感度が高く、超音波検出素子に好適に用いることができる。
【００３８】
音響整合部材１２は、空気より音響インピーダンスが大きく、圧電素子１１より音響インピーダンスが小さい材料を用いて、横断面が略正方形の四角柱状に形成されている。
これにより、音響整合部材１２を設けていない場合に比べて、空気との界面における音響インピーダンスの差を小さくすることができるので、空気との界面における超音波の反射を抑制し、入射する超音波を増大させることができる。
また、バンパ２０の外部から視認できない位置に圧電素子１１が取り付けられているため、音響整合部材１２は、異物や水分などから圧電素子１１を保護する保護部材としても作用する。
本実施形態では、音響整合部材１２は、ポリカーボネート系樹脂またはポリエーテルイミド系樹脂などにより形成されている。ポリカーボネート系樹脂またはポリエーテルイミド系樹脂は弾性率の温度変化が小さいため、温度変化に伴う超音波の波長の変化を小さくすることができる。
【００３９】
音響整合部材１２は、幅Ｗが超音波の空気中における波長の半分以下となるように形成され、互いに隣り合った各音響整合部材１２の中心部の間隔ｄが、超音波の半波長にほぼ等しくなるように配置されている。また、音響整合部材１２は、厚さＴが超音波の音響整合部材１２中における波長の１／４となるように形成されている。例えば、超音波の周波数が６５ｋＨｚの場合、幅Ｗが２．６ｍｍ、厚さＴが５ｍｍ程度となる。
【００４０】
音響整合部材１２の厚さＴを超音波の波長の１／４となるように形成することにより、音響整合部材１２内で定在波を発生させることができる。これにより、音響整合部材１２内に入射した超音波と、音響整合部材１２と圧電素子１１との界面において反射された超音波とが干渉して互いに打ち消し合うことを低減することができるので、圧電素子１１に効率よく超音波を伝達することができる。
なお、音響整合部材１２として樹脂材料を例示しているが、音響インピーダンスの関係及び波長と寸法との関係とを満足すれば、例えば、アルミニウムのような金属材料や、セラミックス、ガラスなどを用いることができる。これらの材料は、樹脂材料同様に、耐候性などの耐環境性を備えており、好適に用いることができる。音響整合部材１２の形状は、横断面が略正方形の四角柱状に限らず、例えば、円柱でもよい。
【００４１】
振動減衰部材１３は、音響整合部材１２より音響インピーダンスが小さく、減衰定数が高い材料、例えば、シリコンゴムにより形成されている。更に、音響整合部材１２には、弾性率が低い材料及び密度が小さい材料が好適に用いられる。例えば、ゴム系材料、発泡樹脂などの気孔を含む樹脂、スポンジなどを用いることができる。
【００４２】
このような材料により形成された振動減衰部材１３が、各音響整合部材１２間及びバンパ２０と音響整合部材１２との間に介在することにより、ある音響整合部材１２により受信された超音波が隣接する音響整合部材１２に伝達されたり、超音波がバンパ２０から取付部２０ａを介して音響整合部材１２の側面１２ｃに伝達されたりしてノイズの原因となることを防止することができる。
また、弾性率が低い材料では、超音波による音響整合部材１２の振動を拘束する力が小さいため、超音波振動の減衰を小さくすることができる。
【００４３】
（超音波センサによる障害物の検出）
超音波センサ１０は、図示しない超音波送信素子または受信素子Ｒ１により送信され、被検出体により反射された超音波を、音響整合部材１２の受信面１２ａにおいて受信する。受信面１２ａにおいて受信された超音波は、音響整合部材１２を介して、圧電素子１１に伝達される。圧電素子１１に伝達された超音波は、圧電素子１１により検出され、電圧信号に変換される。圧電素子１１から出力された電圧信号は、回路素子を経由してＥＣＵに伝達され、ＥＣＵにおいて演算処理が行われる。これにより、被検出体の位置の３次元検知などを行うことができる。
【００４４】
被検出体の位置の３次元検知を行う方法について図２を参照して説明する。図２は、被検出体の位置の３次元検知を行う方法の説明図である。図２（Ａ）は、障害物で反射された超音波を受信素子で受信する状態を示す模式図であり、図２（Ｂ）は、超音波の送信信号と各受信素子により受信する受信信号との関係を示す模式図である。
ここでは、車両正面に対して方位角θｈの右方向（受信素子Ｒ１側）であって、距離Ｄｈの位置に障害物Ｍが存在する場合について説明する。
【００４５】
送信素子により、時間ｔ０に送信された超音波は、障害物Ｍで反射されて、受信素子Ｒ１、Ｒ２によりそれぞれ時間ｔ１、ｔ２に受信されて検出される。ここで、障害物Ｍは、車両正面に対して右方向に存在するため、受信素子Ｒ２と障害物Ｍとの距離Ｌ２は、受信素子Ｒ１と障害物Ｍとの距離Ｌ１に比べて大きくなる。これにより、送信素子により超音波が送信されてから、障害物Ｍにより反射されて、受信素子Ｒ１、Ｒ２により検出されるまでの時間は、受信素子Ｒ１の方が短くなる。方位角θが大きくなる程、距離の差Ｌ２−Ｌ１が大きくなるため、時間差ｔ２−ｔ１が大きくなる。従って、時間差ｔ２−ｔ１を用いて演算処理を行うことにより方位角θｈを求めることができる。
また、送信素子により送信された超音波が、各受信素子Ｒ１、Ｒ２により検出されるまでの時間ｔ１−ｔ０及びｔ２−ｔ０の平均値を用いて演算処理を行うことにより各受信素子Ｒ１、Ｒ２と障害物Ｍとの平均距離Ｄｈを求めることができる。
【００４６】
同様に、障害物Ｍで反射された超音波が受信素子Ｒ１、Ｒ３により検出された時間ｔ１、ｔ３を用いて演算処理を行うことにより、上下方向の方位角θｖ及び超音波センサ１０と各受信素子Ｒ１、Ｒ３との距離Ｄｖを求めることができる。ここで、受信素子Ｒ２、Ｒ４により検出された時間ｔ２、ｔ４を用いても、上下方向の方位角θｖ及び各受信素子Ｒ２、Ｒ４と障害物Ｍとの平均距離を求めることができる。
【００４７】
上述の距離Ｄｈ、Ｄｖ及び方位角θｈ、θｖより、超音波センサ１０に対する障害物Ｍの距離と方位とを検知することができる。これにより、受信素子Ｒ１〜Ｒ４により受信した超音波の時間差を求めることにより、その各差に基づいて、被検出体の位置の３次元検知を行うことができる。
また、受信した超音波の位相差に基づいて、被検出体の位置の３次元検知を行うこともできる。
【００４８】
本実施形態では、各音響整合部材１２は、幅Ｗが超音波の空気中における波長の半分以下となるように形成され、互いに隣り合った各音響整合部材１２の中心部の間隔ｄが、超音波の半波長に等しくなるように配置されている。
このように各音響整合部材１２を構成すると、受信した超音波の位相差からも時間差を検出することができるので、受信した超音波の時間差を精度良く検出することができ、被検出体との距離及び位置の測定精度を向上させることができる。
なお、幅Ｗが超音波の空気中における波長の半分以下でない場合においても、被検出体の位置の３次元検知に用いることができる。
【００４９】
（超音波センサの自己診断方法）
続いて、各受信素子Ｒ１〜Ｒ４が正常に作動しているか否かを超音波センサ１０が自己診断する方法について、図３を参照して説明する。
まず、超音波を送信可能に形成されている受信素子Ｒ１の圧電素子１１より、音響整合部材１２に対して超音波を送信する。ここで、受信素子Ｒ１（圧電素子１１）より送信される超音波の強度は、障害物Ｍにより反射して伝達される超音波の強度より高い（例えば、１０倍以上）ので、振動減衰部材１３内を伝達することができる。受信素子Ｒ１の音響整合部材１２から振動減衰部材１３に伝達された超音波は、受信素子Ｒ２〜Ｒ４の音響整合部材１２に伝達される。
【００５０】
図３（Ａ）には、受信素子Ｒ２〜Ｒ４が正常に作動している場合の受信信号を示す。受信素子Ｒ２、Ｒ３は受信素子Ｒ１から中心部の間隔がｄだけ離れて配置され、受信素子Ｒ４は、受信素子Ｒ１から中心部の間隔が√２ｄだけ離れて配置されているため、受信素子Ｒ１から時間ｔ５に送信された超音波の受信信号は、受信素子Ｒ２、Ｒ３ではほぼ同じ時間ｔ６に検出され、受信素子Ｒ４では時間ｔ６より遅い時間ｔ７において検出される。
また、受信素子Ｒ４では、受信素子Ｒ２、Ｒ３に比べて超音波が振動減衰部材１３内を伝達する距離が長いので、受信信号の強度ｈ４は、受信素子Ｒ２による受信信号の強度ｈ２及び受信素子Ｒ３による受信信号の強度ｈ３より小さくなる。ここで、強度ｈ２と強度ｈ３とはほぼ等しい。
【００５１】
一方、受信素子Ｒ２〜Ｒ４のいずれかが破損して、正常に作動していない場合には、その受信素子による受信信号が変動する。図３（Ｂ）には、受信素子Ｒ３、Ｒ４が正常に作動していない場合の受信信号を示す。
受信素子Ｒ３による受信信号の強度ｈ３１は、受信素子Ｒ２による受信信号の強度ｈ２に比べて強度が低下している。また、受信素子Ｒ４では、受信信号が検出されていない。
このように、受信信号の有無や強度を、受信素子が正常に作動している場合と比較することにより、異常が生じた受信素子Ｒ３、Ｒ４を自己診断することができる。つまり、正常に作動していない受信素子を検知するために、外部に存在する物体に超音波を送信し、その反射波を用いる必要がない。
【００５２】
図３（Ｃ）に示すように、すべての受信素子Ｒ２〜Ｒ４の受信信号の強度が低下していたり、すべて受信素子Ｒ２〜Ｒ４において受信信号が検出されていない場合には、受信素子Ｒ２〜Ｒ４がすべて故障しているか、受信素子Ｒ１による超音波の送信が正常でないという２つの可能性が考えられる。
ここで、受信素子Ｒ２も超音波を送信可能な素子として形成されていると、受信素子Ｒ２から超音波を送信し、他の受信素子Ｒ１、Ｒ３、Ｒ４による受信信号を調べることにより、受信素子Ｒ１から超音波を送信した場合の結果と比較して、いずれの受信素子が正常に作動していないかを自己診断することができる。
【００５３】
このような超音波センサ１０の自己診断を行うことによって、例えば、受信素子Ｒ４のみに動作不良を生じている場合には、受信素子Ｒ４の受信信号を遮断して、受信素子Ｒ１〜Ｒ３を用いて、障害物Ｍの検知を行うようにすることができる。これにより、超音波センサ１０にフェールセーフ機能を持たせることができるため、信頼性を向上することができる。
【００５４】
また、超音波を送信可能な受信素子を複数個、例えば、受信素子Ｒ１、Ｒ２を用意し、受信素子Ｒ１〜Ｒ４の受信信号の強度を比較することにより、受信信号の強度の変動量を求めることができる。
正常に作動している受信素子の受信信号との変動量を検出することにより、回路素子により受信信号のゲインの調節などを行い、超音波センサ１０の感度補正を行うことができる。
【００５５】
超音波を送信可能な受信素子から送信する超音波の周波数として、障害物Ｍの検知に用いる周波数、つまり、音響整合部材１２の共振周波数を用いると、振動を大きくすることができるため、自己診断の精度を向上させることができる。また、音響整合部材１２が外部からの飛来物などにより変形した場合などには、共振周波数が変動し、受信信号の強度が大きく変化するため、音響整合部材１２の変形などの不具合を検出するために好適である。
【００５６】
（超音波センサの温度推定方法）
超音波センサ１０では、超音波が伝達する構成部材の物性の温度依存性を用いて、ＥＣＵなどにより温度を推定し、超音波センサ１０の温度補正を行うことができる。温度検出方法を以下に説明する。
超音波センサ１０を使用する環境の温度が上昇すると、音響整合部材１２及び振動減衰部材１３の弾性率が低下する。音響整合部材１２及び振動減衰部材１３の弾性率が低下すると、音響整合部材１２及び振動減衰部材１３の内部を伝達する超音波の音速が遅くなるため、受信信号が検出される時間が長時間側にシフトする。また、振動減衰部材１３による超音波の減衰率も増大するため、受信信号の強度が低下する。
【００５７】
例えば、図４に示すように、Ｔ１が既知の温度、Ｔ２が使用環境の温度（Ｔ１＜Ｔ２）の場合、温度Ｔ１の受信信号に比べ、温度Ｔ２の受信信号は強度がｈ１１からｈ１２に低下し、受信信号の検出時間もｔ１１からｔ１２にシフトする。
超音波振動の減衰率ｈ１２／ｈ１１、または、検出時間のシフト量ｔ１２−ｔ１１を用いて、予め取得しておいた温度特性と比較することにより、使用環境の温度Ｔ２を推定することができる。
推定された温度Ｔ２を用いて、超音波送信素子から送信する超音波の周波数を変更したり、回路素子またはＥＣＵにおいて、超音波センサ１０の特性を維持するための感度補正を行うことができる。
【００５８】
温度Ｔ２は、音響整合部材１２の共振周波数の変化からも求めることができる。
図５に示すように、温度Ｔ１において、受信素子Ｒ１から送信する超音波の周波数をスイープすると、受信素子Ｒ２の音響整合部材１２が周波数ｆ１において共振して、受信信号の強度が増大する。
温度がＴ２に上昇すると、音響整合部材１２の弾性率は低下し、熱膨張により長手方向の寸法が長くなるため、共振周波数がｆ２まで低下する。この共振周波数の温度依存性より、使用環境の温度Ｔ２を推定することができる。ここで、スイープする周波数の範囲は、想定される共振周波数ｆ２の０．５〜２倍の範囲が好ましい。
【００５９】
（変更例）
受信素子の数及び配置は、用途に応じて任意である。例えば、同心円状に配置してもよいし、左右方向だけの２次元検知を行うなら２個の受信素子Ｒ１、Ｒ２を用意すればよい。
２個の受信素子Ｒ１、Ｒ２による構成を用いる場合、送信した超音波の強度に対して受信信号の強度に閾値を設定して、受信信号の強度が閾値を下回った場合に、その受信素子が正常に不具合が生じたと判断することができる。
【００６０】
［第１実施形態の効果］
（１）本実施形態の超音波センサ１０によれば、超音波センサ３０の受信素子Ｒ１〜Ｒ４の少なくとも１つが超音波を送信可能に形成されており、当該受信素子Ｒ１から送信した超音波を、振動減衰部材１３を介して他の受信素子Ｒ２〜Ｒ４に伝達し、受信素子Ｒ２〜Ｒ４により受信した受信信号に基づいて、その受信素子がそれぞれ正常に作動しているか否かを判断することができる。これにより、超音波センサ３０の外部の被検出体を用意して超音波を送信し、被検出体からの反射波を用いることなく、受信素子Ｒ２〜Ｒ４の動作不良を自己診断することができるので、所望のタイミングで超音波センサ３０の動作不良を診断することができ、超音波センサ３０の信頼性を向上することができる。
【００６１】
（２）音響整合部材１２が、受信面１２ａで受信した超音波により内部で定在波が発生するように形成されているため、音響整合部材内に入射した超音波と、音響整合部材と超音波検出素子との界面において反射された超音波とが干渉して互いに打ち消し合うことを低減することができるので、超音波検出素子に効率よく超音波を伝達することができる。本発明は、このような感度の高い超音波センサ１０の自己診断方法に適用することができる。
【００６２】
（３）超音波を送信可能な受信素子Ｒ１より送信される超音波の周波数は、音響整合部材１２の共振周波数であるため、音圧を高くすることができるので、受信素子Ｒ２〜Ｒ４による受信信号の強度を高くすることができ、自己診断の精度を向上することができる。
【００６３】
（４）音響整合部材１２など超音波が伝達する構成部材の物性は、温度変化により変化し、この物性の変化に伴い受信信号の検出時間、または、受信信号の信号強度が変化する。この温度依存性を用いて、受信信号の検出時間、または、信号強度に基づいて超音波センサの温度を推定することができる。
また、温度変化に伴い音響整合部材１２の共振周波数、または、共振周波数における受信信号の信号強度が変化する。この温度依存性を用いて、音響整合部材１２の共振周波数、または、共振周波数における受信信号の信号強度に基づいて超音波センサの温度を推定することができる。
【００６４】
（５）音響整合部材１２は、弾性率の温度変化が小さいポリカーボネート系樹脂またはポリエーテルイミド系樹脂により形成されているため、温度変化に伴う超音波の波長の変化を小さくすることができるので、定在波を安定して発生させることができる。
また、圧電素子１１を、圧電定数の大きいチタン酸ジルコン酸鉛（ＰＺＴ）からなる圧電体を用いて形成することにより、音圧が小さな超音波の受信をすることができ、超音波センサの感度を向上させることができる。
【００６５】
（６）音響整合部材１２の幅Ｗを、空気中を伝達する超音波の波長の半分以下に形成する構成では、複数の超音波センサ１０をアレイ状に配置して用いる場合に、音響整合部材１２の中央部の間隔が空気中を伝達する超音波の波長の１／２である検出精度が高い配置を行うことができる。
【００６６】
［第２実施形態］
この発明に係る超音波センサの第２実施形態について、図を参照して説明する。図６は、第２実施形態に係る超音波センサの断面説明図である。図７は、受信素子により受信された音響整合部材及び素子封止材の共振信号の模式図である。
なお、第１実施形態と同様の構成については、同じ符号を使用するとともに説明を省略する。
【００６７】
図６に示すように、第２実施形態の超音波センサ３０では、圧電素子１１を水分などから保護するとともに、振動などにより負荷される応力を低減するために、筐体１５の底部１５ａに、圧電素子１１を覆って、弾性率及び音響インピーダンスが低い材料からなる素子封止材１６が充填されている。
素子封止材１６は、音響整合部材１２の振動を妨げないように、弾性率が低い材料、例えば、シリコンゴム、ウレタンフォーム、ゲルなどにより形成されており、特に弾性率が１０ＭＰａ以下の材料を好適に使用することができる。
【００６８】
素子封止材１６を超音波の伝達媒体として、超音波センサ３０の自己診断に用いることができる。
受信素子Ｒ１から送信された超音波は、素子封止材１６を介して受信素子Ｒ２〜Ｒ４に伝達される。素子封止材１６により伝達された超音波の受信信号を用いて、第１実施形態と同様の方法により、超音波センサ３０の自己診断を行うことができる。
【００６９】
素子封止材１６は、音響整合部材１２などと同様に温度変化に伴い物性が変化するため、第１実施形態と同様の方法により、温度推定を行うことができる。
ここで、周波数をスイープすることにより温度を推定する方法を採用する場合には、想定される共振周波数の０．３〜３倍の範囲で受信素子Ｒ１から送信する超音波の周波数をスイープすることが好ましい。
図７に、受信素子Ｒ２により受信された音響整合部材１２及び素子封止材１６の共振信号の模式図を示す。素子封止材１６は、音響整合部材１２より弾性率が低い材料で形成されているため、共振周波数ｆ３及び信号強度は音響整合部材１２より低い。このように、素子封止材１６の共振周波数ｆ３は、受信素子Ｒ２の共振周波数ｆ１と大きく異なるため、混同することなく明確に区別することができる。
更に、音響整合部材１２の共振周波数と素子封止材１６の共振周波数との両者の温度依存性を用いることにより、温度の推定精度を向上することもできる。
【００７０】
［第２実施形態の効果］
（１）本実施形態の超音波センサ３０によれば、超音波センサ３０の受信素子Ｒ１〜Ｒ４の少なくとも１つが超音波を送信可能に形成されており、当該受信素子Ｒ１から送信した超音波を、素子封止材１６を介して他の受信素子Ｒ２〜Ｒ４に伝達し、受信素子Ｒ２〜Ｒ４により受信した受信信号に基づいて、その受信素子がそれぞれ正常に作動しているか否かを判断することができる。これにより、超音波センサ３０の外部の被検出体を用意して超音波を送信し、被検出体からの反射波を用いることなく、受信素子Ｒ２〜Ｒ４の動作不良を自己診断することができるので、所望のタイミングで超音波センサ３０の動作不良を診断することができ、超音波センサ３０の信頼性を向上することができる。
【００７１】
［第３実施形態］
この発明に係る超音波センサの第２実施形態について、図を参照して説明する。図８は、第３実施形態に係る超音波センサの断面説明図である。
なお、第１実施形態と同様の構成については、同じ符号を使用するとともに説明を省略する。
【００７２】
図８に示すように、第３実施形態の超音波センサ４０では、圧電素子などからなり超音波を送信可能な超音波送信素子１７が、超音波を送信する送信面から各受信素子Ｒ１〜Ｒ４までの距離が等しくなるように、筐体１５の底部１５ａに配置されている。
超音波センサ４０により受信素子Ｒ１〜Ｒ４の自己診断を行うには、まず、超音波送信素子１７から各受信素子Ｒ１〜Ｒ４に向かって超音波を送信する。超音波送信素子１７から送信された超音波は、各圧電素子１１または音響整合部材１２に伝達され、受信信号として検出される。
ここで、超音波送信素子１７が各受信素子Ｒ１〜Ｒ４までの距離が等しくなるように構成されているので、受信素子Ｒ１〜Ｒ４が正常に作動している場合には、各受信素子Ｒ１〜Ｒ４において強度及び検出時間が等しい受信信号が検出される。これにより、受信信号の強度が低下している受信素子を動作不良が生じている受信素子として検知することができる。
本実施形態の超音波センサ４０によれば、自己診断用の超音波送信素子１７を備えているため、受信素子Ｒ１〜Ｒ４を送信可能に構成する必要がないとともに、受信素子Ｒ１〜Ｒ４を同時に自己診断することが可能となる。
また、受信素子Ｒ１〜Ｒ４で受信した信号に基づいて、第１実施形態及び第２実施形態と同様に、温度を推定することができる。
【００７３】
ここで、超音波送信素子１７は、圧電素子１１とともに素子封止材１６により封止してもよい。この構成を用いると、超音波の振動を受信素子Ｒ１〜Ｒ４に伝達する媒体が素子封止材１６となるので、素子封止材１６がなく超音波が空気を伝達する場合に比べて受信信号の強度を高くすることができる。
【００７４】
超音波送信素子１７は、受信面１２ａから見て受信素子Ｒ１〜Ｒ４側にあれば、必ずしも各受信素子Ｒ１〜Ｒ４から等距離に配置しなくてもよい。例えば、筐体１５の底部１５ａ以外の内側面に配置することもできる。この場合、受信信号の検出時間及び強度は受信素子毎に異なるが、正常に作動している場合の受信信号と比較することにより、自己診断を行うことができる。また、この構成を用いると、超音波送信素子１７の配置の自由度が増大するため、超音波センサ４０の小型化に寄与することができる。
【００７５】
［第３実施形態の効果］
（１）本実施形態の超音波センサ４０によれば、受信面１２ａから見て受信素子Ｒ１〜Ｒ４側に配置された超音波送信素子１７から送信された超音波を各受信素子Ｒ１〜Ｒ４により受信した受信信号に基づいて、その受信素子がそれぞれ正常に作動しているか否かを判断することができる。これにより、超音波センサ４０の外部の被検出体を用意して超音波を送信し、被検出体からの反射波を用いることなく、受信素子Ｒ１〜Ｒ４の動作不良を自己診断することができるので、所望のタイミングで超音波センサ４０の動作不良を診断することができ、超音波センサ４０の信頼性を向上することができる。
また、超音波センサ４０が自己診断用のＲ１〜Ｒ４を備えているため、受信素子Ｒ１〜Ｒ４を送信可能に構成する必要がないとともに、受信素子Ｒ１〜Ｒ４を同時に自己診断することが可能となる。
【００７６】
（２）超音波送信素子１７は、各受信素子Ｒ１〜Ｒ４から等しい距離に配置されているため、各受信素子Ｒ１〜Ｒ４が正常に作動している場合には、各受信素子Ｒ１〜Ｒ４において強度及び検出時間が等しい受信信号が検出される。これにより、各受信信号を比較することにより、動作不良が生じている受信素子を容易に検知することができる。
【００７７】
［その他の実施形態］
（１）超音波センサ１０、３０、４０は、バンパ２０以外の車両６０の部材に取り付けて使用することができる。例えば、図６に示すように、ヘッドランプカバー２１に取り付けることができる。この構成を用いると、障害物などで反射した超音波が車両の一部に遮られることがないので、確実に超音波センサで検出することができ、障害物センサなどに超音波センサを適用する場合に有効である。
更に、超音波センサの用途に合わせて、他の部材に取り付けることもできる。例えば、超音波センサを車両６０の側方の障害物センサとして用いる場合には、ウインカのカバー２２、ドアミラー２３などに取り付けることもできる。車両６０の後方の障害物センサとして用いる場合には、リアランプのカバー２４、バックランプのカバー２５などに取り付けることもできる。
【００７８】
（２）受信素子Ｒ１〜Ｒ４毎に、音響整合部材１２を異なる材料により形成することができる。例えば、受信素子Ｒ１、Ｒ２の音響整合部材１２をポリカーボネート系樹脂、受信素子Ｒ３、Ｒ４の音響整合部材１２をアルミニウム合金により形成することができる。この構成を用いると、ポリカーボネート系樹脂とアルミニウム合金とでは弾性率などの温度依存性が異なるため、両者の温度依存性を用いることにより、温度の推定精度を向上することができる。
【００７９】
［各請求項と実施形態との対応関係］
取付面１２ｂが請求項１に記載の対向する面に対応する。
【図面の簡単な説明】
【００８０】
【図１】第１実施形態の超音波センサの説明図である。図１（Ａ）は、第１実施形態の超音波センサを音響整合部材側から見た平面説明図であり、図１（Ｂ）は、図１（Ａ）のＡ−Ａ矢視断面図である。
【図２】被検出体の位置の３次元検知を行う方法の説明図である。図２（Ａ）は、障害物で反射された超音波を受信素子で受信する状態を示す模式図であり、図２（Ｂ）は、超音波の送信信号と各受信素子により受信する受信信号との関係を示す模式図である。
【図３】超音波センサの自己診断方法の原理を説明する説明図である。図３（Ａ）は、受信素子が正常に作動している場合の受信信号の説明図であり、図３（Ｂ）及び図３（Ｃ）は、正常に作動していない受信素子がある場合の受信信号の説明図である。
【図４】音響整合部材及び振動減衰部材の物性の温度依存性による受信信号の変化を示す説明図である。
【図５】音響整合部材の共振周波数の温度依存性による受信信号の変化を示す説明図である。
【図６】第２実施形態に係る超音波センサの断面説明図である。
【図７】受信素子により受信された音響整合部材及び素子封止材の共振信号の模式図である。
【図８】第３実施形態に係る超音波センサの断面説明図である。
【図９】超音波センサの車両への搭載位置の説明図である。
【符号の説明】
【００８１】
１０、３０、４０  超音波センサ
１１    圧電素子
１２    音響整合部材
１２ａ  受信面
１２ｂ  取付面（対向する面）
１３    振動減衰部材
１６    素子封止材
２０    バンパ
２１    ヘッドランプカバー
２２    ウインカのカバー
２３    ドアミラー
２４    リアランプのカバー
２５    バックランプのカバー
Ｍ    障害物（被検出体）
ｄ    各音響整合部材の中央部間の距離
【図１】
2008309512.tif 000003
【図２】
2008309512.tif 000004
【図３】
2008309512.tif 000005
【図４】
2008309512.tif 000006
【図５】
2008309512.tif 000007
【図６】
2008309512.tif 000008
【図７】
2008309512.tif 000009
【図８】
2008309512.tif 000010
【図９】
2008309512.tif 000011